(57)【要約】      （修正有）【課題】既設の巾木に取付けて巾木の表面及び上面を被覆することが出来る巾木カバー材の提供。【解決手段】巾木カバー材は下部カバー１と上部カバー７から成り、下部カバー１は巾木表面の下側部に固定される下部板２を有し、上部カバー７は巾木表面の上側部に固定される上部板と、巾木上面１６に固定される上片が上部板上端に背面側へ垂直に延び、また上片の上には該上片より長い軟質上片１０を設け、さらに上部板の下端部背面側を切欠いて切欠き部を形成している。【選択図】図３
0003217696.tif 000002
【実用新案登録請求の範囲】
【請求項１】
既設の巾木に取付けて巾木の表面及び上面を被覆することが出来る巾木カバー材において、巾木カバー材は下部カバーと上部カバーから成り、上記下部カバーは巾木表面の下側部に固定される下部板を有し、下部板の下端には先端が床面に接する軟質片を設け、軟質片は下部板表面側に突出して下方へ延びると共に先端部は内側へ湾曲し、上記上部カバーは巾木表面の上側部に固定される上部板と、巾木上面に固定される上片を上部板上端に背面側へ垂直に延ばし、また上片の上には該上片より長い軟質上片を設け、下部板と上部板の一部が互いに重なり合うように巾木に取付けることを特徴とする巾木カバー材。
【請求項２】
既設の巾木に取付けて巾木の表面及び上面を被覆することが出来る巾木カバー材において、巾木カバー材は下部カバー、上部カバー、及び上面部材から成り、上記下部カバーは巾木表面の下側部に固定される下部板を有し、下部板の下端には先端が床面に接する軟質片を設け、軟質片は下部板表面側に突出して下方へ延びると共に先端部は内側へ湾曲し、上記上部カバーは巾木表面の上側部に固定される上部板と、巾木上面に固定される上記上面部材の嵌合溝に嵌る上片を上部板上端に背面側へ垂直に延ばし、上面部材は上片と下片を有す嵌合溝を有し、下部板と上部板の一部が互いに重なり合うように巾木に取付けることを特徴とする巾木カバー材。
【請求項３】
上部板の下端部背面側を切欠いて切欠き部を形成した請求項１、又は請求項２記載の巾木カバー材。
【考案の詳細な説明】
【技術分野】
【０００１】
本考案は、例えば賃貸住宅（マンション）のリフォームを行う際に、巾木を新たなものに交換することなくリニューアルすることが出来る巾木カバー材に関するものである。
【背景技術】
【０００２】
賃貸マンションにおいて、住人が変わる場合にはその都度リフォームが行われる。床と壁との間に取付けている巾木は、取外されて新たなものと交換される。図７は従来の一般的な巾木を示しているが、巾木（イ）は床面（ロ）と壁面（ハ）のコーナーに取付けられている。この巾木（イ）によって、床面（ロ）と壁面（ハ）とのコーナーに形成される隙間をカバーすることが出来る。
【０００３】
同図の（ａ）に示す巾木（イ）はその高さ寸法は大きくて表面には角溝（ニ）が設けられ、同図の（ｂ）に示す巾木（イ）は高さ寸法は小さくて表面には半円溝（ホ）を形成している。このように、巾木（イ）の種類は色々存在しているが、部屋のリフォームに際して既設のキズ付いた巾木（イ）を取外して新しい巾木（イ）を取付けなくてはならず、その作業は面倒である。勿論、取外した古い巾木（イ）は廃棄処分しなくてはならず、資源の有効利用にも反する。
【０００４】
従来において、古い巾木を取外すことなくリフォームを行うことが出来るリフォーム用の巾木も知られている。例えば、特開２００３−２２７２３０号に係る「リフォーム用巾木材」は、既設巾木を取り外すことなく、容易かつ仕上がり良くリフォームを行うことが出来るものである。
そこで、既設巾木の前面への添装面部を備え、下端面を既設フロア上にはり込まれる新設の床材により形成される新設フロア面に対する突き当て面部とした下部巾木構成体と、既設巾木の前面及び上端面への添装面部を備えた上部巾木構成体とを有する。下部巾木構成体はその前面部に上方に向いた段差面を有する。上部巾木構成体はその背面部に下方に向いた段差面を有する。下部巾木構成体の段差面に上部巾木構成体の下端面が突き当てられる位置をこの上部巾木構成体の設置下限として、この下部巾木構成体の段差面より上方にある前面に上部巾木構成体の段差面より下方にある背面を添装させた状態で備え付けられる。
【０００５】
特開平９−１１９２１２号に係る「リフォーム用巾木」は、リフォーム時に行う巾木施工の手間を省き、且つ見栄えよく施工できる見切り施工用巾木である。
古い巾木の上部を覆うカバー付の新しい巾木本体を古い巾木の正面側に合わせて固定し、カバーの先端を壁に突き当てて古い巾木の露出部分全体を覆うことが出来る。
【特許文献１】特開２００３−２２７２３０号に係る「リフォーム用巾木材」
【特許文献２】特開平９−１１９２１２号に係る「リフォーム用巾木」
【考案の開示】
【考案が解決しようとする課題】
【０００６】
このように、リフォーム時に古い巾木を取外すことなく施工することが出来るリフォーム用巾木は色々知られている。しかし、所定の巾木カバー材にてあらゆるサイズの既設の古い巾木を完全に被覆することは出来ない。
また、巾木カバー材を既存の巾木に取付けることで、出入口の開口枠からはみ出してしまう。すなわち、開口枠の正面と巾木表面との間のチリ寸法（段差）が２〜３ｍｍ程度であるために、厚い巾木カバー材を取付ける場合には該巾木カバー材は開口枠からはみ出す。そのために、既存の巾木に巾木カバー材を取付ける際には開口枠も取り換える必要がある。
本考案が解決しようとする課題はこの問題点であり、古い巾木のサイズ（高さ寸法及び厚さ寸法）がいかようであっても、表面及び上面を全てカバーすることでリニューアルすることが出来ると共に、開口枠の交換の必要のない巾木カバー材を提供する。
【課題を解決するための手段】
【０００７】
本考案の巾木カバー材は２ピース又は３ピース構造とし、既設の古い巾木に取付けて表面並びに上面を被覆することが出来るように構成している。巾木の表面下側を被覆する下部カバーと、巾木の表面上側及び上面を被覆する上部カバーから成り、下部カバーと上部カバーを巾木に取付けた場合には互いに一部が重なり合うことで、巾木表面が被覆される。
【０００８】
すなわち、下部カバーの上側に上部カバーが重なり合って巾木表面は露出しないように被覆される。そして、上部カバーの上片には軟質樹脂で構成した軟質片を設けている。ここで、軟質片は上片より幅広としている。
一方、巾木の上面に止着する上面部材を別部品として用い、上部カバーの上片をコ形断面の上面部材に設けている嵌合溝に嵌めることが出来る。
【考案の効果】
【０００９】
本考案の巾木カバー材は、下部カバーと上部カバーで構成し、下部カバーと上部カバーとで既設の巾木表面及び上面を被覆することが出来る。したがって、リフォームを行うに際して、既設の巾木を取外す必要はなく、本考案の巾木カバー材を取付けることで外観上は新たな巾木に交換した場合と同じようになる。そして、本考案の巾木カバー材は下部カバーと上部カバーを組み合わせて取付けるもので、既設の巾木高さが違っても対応可能であり、また巾木の厚さ寸法の変化に対しても適用出来る。
【００１０】
下部カバーの下縁は床面に接し、上部カバーの上片は巾木の上面に載置されるが、下部カバーの下部板と上部カバーの上部板によって巾木表面の全面を被覆することが出来る。すなわち、巾木の高さ寸法に応じて下部板と上部板とが重なり合う領域が調整される。また上片には軟質片を設け、この軟質片の先端が壁面に当たることで巾木上面を隙間なくカバーすることが出来る。
一方、巾木上面に上面部材を取付ける場合には、上部上片を嵌合溝に嵌ることが出来、上面を隙間なく被覆することが出来る。
一方、本考案の巾木カバー材は下部カバー、上部カバーを有してその厚さは薄く成っていて、その為に開口枠を交換しなくてもはみ出すことはない。
【図面の簡単な説明】
【００１１】
【図１】巾木カバー材を構成する下部カバーを示す具体例。
【図２】巾木カバー材を構成する上部カバーを示す具体例。
【図３】巾木に下部カバーと上部カバーを取付ける作業工程。
【図４】各種巾木に巾木カバー材を取付けた場合。
【図５】（ａ）は下部カバー、（ｂ）は上部カバー、（ｃ）は上面部材をそれぞれ示している。
【図６】巾木に下部カバーと上部カバー、及び上面部材を取付ける作業工程。
【図７】従来の一般的な巾木。
【考案を実施するための形態】
【００１２】
図１は巾木カバー材を構成する下部カバー１の縦断面を示す実施例であり、該下部カバー１は樹脂製の下部板２と軟質片３を有し、下部板２は一定厚さで一定幅（高さ）の長尺材で、軟質片３は上記下部板２の下縁に取付けられている。軟質片３は下部板表面側に僅かに突出して下方へ延びて、先端部４は内側へ湾曲している。そして、下部板表面５は木目模様が形成され、裏面６には巾木表面に止着する為の両面テープが貼着されている。
【００１３】
図２は上部カバー７の縦断面を示す具体例であり、上部カバー７は上部板８と上片９を有し、上片９は上部板８の上端から背面側（裏面側）へ垂直に延びている。そして、上片９の上には軟質上片１０が設けられ、その長さは上片９より大きく成っている。上記上部板８はその下端部裏側が切欠かれ切欠き部１１を形成し、その為に厚さは薄く成っている。
図１に示す下部カバー１及び図２に示す上部カバー７は縦断面であり、その為にこの断面を有して長手方向へ延びる長尺材と成っている。
【００１４】
図３は既設の巾木１２に本考案の巾木カバー材を取付ける作業工程を示している。
（ａ）は巾木１２の表面１３に下部カバー１を取付けた場合であり、下部板２は表面１３に固定され、軟質片３の先端部４は床面１４と隙間なく接している。ここで、下部カバー１の取付け手段に関しては特に限定しないが、例えば下部板２の裏面６を両面テープを介して巾木１２の表面１３に固定することが出来る。
【００１５】
（ｂ）は巾木１２に上部カバー７を取付けた場合を示している。巾木１２の上部側表面１３に接着剤１５を塗布し、この接着剤１５を介して上部板８及び上片９は巾木に固定される。該巾木１２の下部側表面１３には下部カバー１が取付けられている為に、上部カバー７は下側に設けた切欠き部１１に下部板２が嵌って組み込まれる。ここで、上片９は巾木１２の上面１６に載置されてタッカー打ちにて固定される。
【００１６】
ところで、巾木１２の上面１６に載った上片９はその先端が壁面１７に近接状態であり、壁面１７に当たって上部板８と巾木表面１３との間に隙間が生じないように成っている。この場合、軟質上片１０は上部カバー７の上片９より長く延びている為に、上部カバー７を巾木１２に取付けるならば、同図（ｂ）に示すように軟質上片１０の先端が壁面１７に当たって山形に湾曲する。
【００１７】
図４（ａ）、（ｂ）、（ｃ）は３種類の巾木１２ａ，１２ｂ，１２ｃに本考案の巾木カバー材を取付けた形態を示している。（ａ）は高さ寸法並びに厚さ寸法が大きな巾木１２ａに下部カバー１と上部カバー７を取付けた場合であり、下部カバー１の下部板２は表面化し、また上部カバー７の上片９の先端と壁面１７との間には隙間１８を有している。そのために、軟質上片１０は山形に大きく湾曲しないでその先端は壁面１７に接している。
【００１８】
図４（ｂ）の場合は、巾木１２ｂの高さ寸法は巾木１２ａに比べて低く、厚さ寸法も薄く成っている。したがって、巾木１２ｂの下部表面に取付けた下部カバー１の下部板２は上部カバー７によって完全に被覆されている。そして、上部カバー７の上片９の先端は壁面１７に近接し、軟質上片１０は山形に大きく湾曲して先端は壁面１７に接している。
【００１９】
図４（ｃ）に場合は、巾木１２ｃの高さ寸法は巾木１２ａに比べて低く、巾木１２ｂより大きく成っている。そして厚さ寸法は巾木１２ｂと同じ大きさとしている。また、該巾木１２ｃの下端には床面１４に接する軟質下片１９を取付けている。したがって、下部カバー１の下部板２は上部カバー７にて全体が被覆されることなく、その一部は表面化している。また、軟質上片１０はその先端が壁面１７に接して山形に大きく湾曲している。
【００２０】
図５は本考案に係る巾木カバー材を示す他の実施例であり、巾木カバー材を構成する各部材を示し、（ａ）は下部カバー２０、（ｂ）は上部カバー２１、（ｃ）は上面部材２２の断面をそれぞれ表している。したがって、これら各部材は同図に示す断面を有して長手方向に延びる長尺材である。
（ａ）に示す下部カバー２０は一定厚さで一定幅（高さ）の下部板２３を有し、下部板２３の下端には不陸カバー機能を備えた軟質片２４を下方へ延ばしている。
【００２１】
（ｂ）に示す上部カバー２１は上部板２５の上端には垂直背面側へ延びる上片２６を有し、上部板２５の下端部背面側は切欠かれて切欠き部２７を形成している。したがって、上部板２５の下端部厚さは薄く成っている。
（ｃ）に示す上面部材２２は上片２９と下片３０をもつコ形断面を形成して嵌合溝２８を有している。
【００２２】
図６は図５に示す巾木カバー材を既設の巾木に取付ける作業工程を示している。
（ａ）は巾木３１に下部カバー２０を取付けた場合であり、該下部カバー２０はその軟質片２４を床面３２に置いて巾木表面３３に粘着テープなどを介して固定される。すなわち、下部カバー２０は床面３２に沿って隙間を残さないように巾木表面３３に貼着される。
（ｂ）は巾木３１の上面には上面部材２２が粘着テープなどにて固定されている。ここで、該上面部材２２は壁面との間に隙間を残さないように取付けられ、コ形断面をした上面部材２２は巾木３１の表面側に嵌合溝２８を開口している。
【００２３】
（ｃ）は、さらに上部カバー２１を取付けた場合であり、該上部カバー２１は上部板２５を巾木表面３３に粘着テープと接着剤を用いて固定される。切欠かれた上部板２５の下端部は下部カバー２０の下部板２３と重なり合い、巾木表面３３は露出することなく下部カバー２０と上部カバー２１にて被覆される。
（ｄ）は、上面部材２２の嵌合溝２８には上部カバー２１の上片２６が嵌合し、巾木上面も表面化することなく被覆される。
上記下部カバー２０、上部カバー２１、及び上面部材２２には粘着テープが貼着されていることで、接着剤を併用する場合に該接着剤が硬化するまでこれら各部材が動くことなく定位置に正しく固定出来る。
【００２４】
このように、本考案に係る巾木カバー材は既設の巾木に取付けることで、リフォーム時に古い巾木を取外すことなく、そのままの状態でリニューアルすることが出来る。しかも、下部カバーと上部カバーとが組み合わされることで巾木のサイズがいかようであっても取付けることが出来、該巾木の表面並びに上面を被覆することが出来る。
【符号の説明】
【００２５】
１   下部カバー
２   下部板
３   軟質片
４   先端部
５   表面
６   裏面
７   上部カバー
８   上部板
９   上片
10   軟質上片
11   切欠き部
12   巾木
13   表面
14   床面
15   接着剤
16   上面
17   壁面
18   隙間
19   軟質下片
20   下部カバー
21   上部カバー
22   上面部材
23   下部板
24   軟質片
25   上部板
26   上片
27   切欠き部
28   嵌合溝
29   上片
30   下片
31   巾木
32   床面
33   表面
【図１】
0003217696.tif 000003
【図２】
0003217696.tif 000004
【図３】
0003217696.tif 000005
【図４】
0003217696.tif 000006
【図５】
0003217696.tif 000007
【図６】
0003217696.tif 000008
【図７】
0003217696.tif 000009